(57)【要約】【課題】携帯しやすいコンパクトな形状に折り畳むことができ、楽譜への書き込み等に好適に用いることができる、楽譜用下敷き、及び、この楽譜用下敷きを用いた譜面台用補助具を提供する。【解決手段】この下敷き２０は、並列して配置されたほぼ同じ幅の細長い複数枚の板材２１と、これらの板材を蛇腹状に折り曲げ可能に連結する連結シート（表シート２５及び裏シート２７）とを備えている。板材の表面を内側にして折り曲げられる継ぎ目部分は、表シート２５で連結されると共に、裏面には連結シートが設けられていないか、あるいは裏シート２７にスリット２９が形成されて分離されており、板材の裏面を内側にして折り曲げられる継ぎ目部分は、表シート２５にスリット２９が形成されて分離されると共に、裏シート２７で連結されている。【選択図】図２
2011227327.tif 000002
【特許請求の範囲】
【請求項１】
譜面台に載置される楽譜のための下敷きであって、並列して配置されたほぼ同じ幅の細長い複数枚の板材と、これらの板材を蛇腹状に折り曲げ可能に連結する連結シートとを備え、前記連結シートは、折り曲げられる継ぎ目部分の内側に少なくとも被覆されており、折り曲げられる継ぎ目部分の外側は、スリットが形成されて連結シートが分離されているか、あるいは連結シートが設けられていないことを特徴とする楽譜用下敷き。
【請求項２】
最も両側に配置された板材とそれに隣接する板材との継ぎ目部分は、表面に被覆された連結シートで連結され、裏面はスリットが形成されて連結シートが分離されているか、あるいは連結シートが設けられておらず、かつ、いずれか一方の側縁部から他方の側縁部の背面側に当接するように延出された延出片が設けられ、両板材を開いたとき、前記延出片が他方の側縁部の背面側に当接して、逆方向への折れ曲がりを規制する平面保持機構をなす請求項１記載の楽譜用下敷き。
【請求項３】
板材どうしの継ぎ目部分のうち一つ置きに配置された部分は、表面に被覆された連結シートで連結され、裏面はスリットが形成されて連結シートが分離されているか、あるいは連結シートが設けられておらず、かつ、いずれか一方の側縁部から他方の側縁部の背面側に当接するように延出された延出片が設けられ、両板材を開いたとき、前記延出片が他方の側縁部の背面側に当接して、逆方向への折れ曲がりを規制する平面保持機構をなす請求項１又は２記載の楽譜用下敷き。
【請求項４】
前記延出片は、最も両側に配置された板材とそれに隣接する板材のいずれか一方の側縁部から、背面側に段状をなして板厚分突出し、そこから更に板面方向に延出された形状をなす請求項２又は３記載の楽譜用下敷き。
【請求項５】
前記板材は、炭素繊維の織布に樹脂を含浸させて形成された炭素繊維強化樹脂からなる請求項１〜４のいずれか１つに記載の譜面台用下敷き。
【請求項６】
請求項１〜５のいずれか１つに記載の楽譜用下敷きと、譜面台の下辺に設けられる棚部に装着可能な小物置き台とを備えた譜面台用補助具であって、前記小物置き台は、並列して配置されたほぼ同じ幅の細長い複数枚の板材と、これらの板材を折り曲げ可能に連結する連結シートとで構成されており、前記板材のうちの２枚の板材が折り曲げ状態で部分的に面接合されて前記棚部を挟持する挟持部をなし、該挟持部の下方に連結された少なくとも２枚の板材が開き止め機構によってＬ字状に延出される小物置き部をなし、前記挟持部の上方に連結された少なくとも1枚の板材が、前記楽譜用下敷きの下縁部に重なって、該楽譜用下敷きを広げた状態に保持するサポート部をなすことを特徴とする譜面台用補助具。
【請求項７】
前記サポート部には、磁気吸着シートが添設されており、前記楽譜用下敷きの少なくとも下縁部に位置する表面又は裏面には、前記磁器吸着シートに吸着可能な磁気吸着面が形成されている請求項６記載の譜面台用補助具。
【発明の詳細な説明】
【技術分野】
【０００１】
本発明は、譜面台に載置される楽譜のための楽譜用下敷き、及び、この楽譜用下敷きを用いた譜面台用補助具に関する。
【背景技術】
【０００２】
楽器は、楽譜を見ながら演奏することが多い。しかし、楽器を演奏する際には、手が塞がれるので、楽譜を譜面台に乗せて使用することが普通である。
【０００３】
譜面台としては様々な形状のものがある。例えば、図８〜１０には、持ち運びに便利な携帯用の譜面台５０が図示されている。
【０００４】
図１０に示すように、この譜面台５０は、縦長板状の支持フレーム５１と、この支持フレーム５１の下端に回動可能に取付けられたＬ字状の一対の棚部５３，５３と、支持フレーム５１及び棚部５３，５３に連結されたリンクフレーム５５，５５と、前記支持フレーム５１の下端裏面側に取付けられた伸縮可能な伸縮ポール５７と、この伸縮ポール５７の下方に設けられた折り畳み可能な三脚５９とを有している。そして、伸縮ポール５７を縮ませると共に三脚５９を畳み、更にリンクフレーム５５，５５を適宜折り曲げて、棚部５３，５３を支持フレーム５１に重ね合わせることにより、譜面台５０をコンパクトに折り畳むことができるようになっている。
【０００５】
上記譜面台５０の場合、支持フレーム５１に対して一対の棚部５３，５３を左右に広げた状態では、支持フレーム５１、棚部５３及びリンクフレーム５５の間は、支持部分のない骨組み構造となっている。そのため、この譜面台５０に載置した楽譜に、演奏中に気づいた点やその他の事項等を書き込みたい場合でも、楽譜を支持する部分がないため、楽譜に書き込みしにくいという問題があった。
【０００６】
これに対して下記特許文献１には、左カバーと前記左カバーの右側に連設された左中片との間を谷折りにし、前記左中片と前記左中片の右側に連設された右中片との間を山折りにし、前記右中片と前記右中片の右側に連設された右カバーとの間を谷折りにして、前記左中片及び右中片を前記左カバーと右カバーの間に挟み込んだ開閉可能な譜面カバーが記載されている。そして、この譜面カバーを広げた状態で譜面台に乗せて、更に譜面カバーの上に譜面を乗せることにより、譜面カバーを台紙として用いることができ、譜面に書き込みをすることができる。
【先行技術文献】
【特許文献】
【０００７】
【特許文献１】実用新案登録第３１３４４６３号公報
【発明の概要】
【発明が解決しようとする課題】
【０００８】
上記特許文献１記載の譜面カバーにおいて、左カバー及び右カバーは、楽譜１枚を配置できる程度の比較的大きなサイズとされており、左中片及び右中片は、左カバー及び右カバーよりも幅が狭い細長帯状をなしている。
【０００９】
そのため、左中片及び右中片を介して、左カバー及び右カバーを互いに近づけて、譜面カバーを折り畳んだとしても、左カバー又は右カバーのサイズとなるので、コンパクトに折り畳むことができず、携帯に不便であるというデメリットがあった。
【００１０】
したがって、本発明の目的は、携帯しやすいコンパクトな形状に折り畳むことができ、楽譜への書き込み等に好適に用いることができる、楽譜用下敷き、及び、この楽譜用下敷きを用いた譜面台用補助具を提供することにある。
【課題を解決するための手段】
【００１１】
上記目的を達成するため、本発明の楽譜用下敷きは、譜面台に載置される楽譜のための下敷きであって、並列して配置されたほぼ同じ幅の細長い複数枚の板材と、これらの板材を蛇腹状に折り曲げ可能に連結する連結シートとを備え、前記連結シートは、折り曲げられる継ぎ目部分の内側に少なくとも被覆されており、折り曲げられる継ぎ目部分の外側は、スリットが形成されて連結シートが分離されているか、あるいは連結シートが設けられていないことを特徴とする。
【００１２】
上記発明によれば、ほぼ同じ幅の細長い複数枚の板材を連結シートで連結し、かつ、蛇腹状に折り畳み可能とされているので、折り畳んだ状態では１枚の板材と同じ幅となり、携帯しやすいコンパクトな形状にすることができる。そして、例えばフレームだけで形成された折り畳みの譜面台等に楽譜を載せるとき、該譜面台の支持フレーム上にこの下敷きを広げて載せてその上に楽譜を載せることにより、楽譜をしっかりと保持することができると共に、楽譜に筆記具で書き込みをすることも可能となる。また、折り畳まれた下敷きを広げることにより、１枚の大きな下敷きにすることができるので、サイズの大きな楽譜であってもしっかりと支持することができる。
【００１３】
本発明の楽譜用下敷きにおいては、最も両側に配置された板材とそれに隣接する板材との継ぎ目部分は、表面に被覆された連結シートで連結され、裏面はスリットが形成されて連結シートが分離されているか、あるいは連結シートが設けられておらず、かつ、いずれか一方の側縁部から他方の側縁部の背面側に当接するように延出された延出片が設けられ、両板材を開いたとき、前記延出片が他方の側縁部の背面側に当接して、逆方向への折れ曲がりを規制する平面保持機構をなすことが好ましい。
【００１４】
この態様によれば、譜面台の支持幅が下敷きを広げた幅よりも狭くて、下敷きの最も両側に位置する板材が譜面台の両側からはみ出した場合であっても、平面保持機構によって両側に位置する板材が背面側に折れ曲がるのが防止されるので、下敷きを全幅にわたって平面状に維持することができ、大きな楽譜であってもしっかりと保持することができる。
【００１５】
本発明の楽譜用下敷きにおいては、板材どうしの継ぎ目部分のうち一つ置きに配置された部分は、表面に被覆された連結シートで連結され、裏面はスリットが形成されて連結シートが分離されているか、あるいは連結シートが設けられておらず、かつ、いずれか一方の側縁部から他方の側縁部の背面側に当接するように延出された延出片が設けられ、両板材を開いたとき、前記延出片が他方の側縁部の背面側に当接して、逆方向への折れ曲がりを規制する平面保持機構をなすことが好ましい。
【００１６】
この態様によれば、板材どうしの継ぎ目部分に、平面保持機構が一つ置きに配置されるので、板材を広げたときの背面側への折れ曲がりをより効果的に防止することができ、平面性をより良好に保つことができる。
【００１７】
本発明の楽譜用下敷きにおいては、前記延出片は、最も両側に配置された板材とそれに隣接する板材のいずれか一方の側縁部から、背面側に段状をなして板厚分突出し、そこから更に板面方向に延出された形状をなすことが好ましい。この態様によれば、延出部を同じ厚さの板部で形成できるので、下敷きを広げたときに、両側の板材の背面側への折れ曲がりを、より確実に防止することができる。
【００１８】
本発明の楽譜用下敷きにおいては、前記板材は、炭素繊維の織布に樹脂を含浸させて形成された炭素繊維強化樹脂からなることが好ましい。この態様によれば、比較的薄い板材であっても十分な剛性を付与でき、湾曲したりすることなく、楽譜をしっかりと支持することができる。また、板材を薄くして軽量化できるので、携帯性をより向上させることができる。
【００１９】
本発明のもう一つは、上記発明の楽譜用下敷きと、譜面台の下辺に設けられる棚部に装着可能な小物置き台とを備えた譜面台用補助具であって、前記小物置き台は、並列して配置されたほぼ同じ幅の細長い複数枚の板材と、これらの板材の表裏面に被覆された連結シートとを備え、前記板材の継ぎ目に位置する表裏の連結シートのいずれか一方に、該継ぎ目に沿ったスリットが形成され、該スリットを外側にして板材どうしが折り曲げ可能に連結されて構成されており、そのうちの２枚の板材が折り曲げ状態で部分的に面接合されて前記棚部を挟持する挟持部をなし、該挟持部の下方に連結された少なくとも２枚の板材が開き止め機構によってＬ字状に延出される小物置き部をなし、前記挟持部の上方に連結された少なくとも1枚の板材が、前記楽譜用下敷きの下縁部に重なって、該楽譜用下敷きを広げた状態に保持するサポート部をなすことを特徴とする。
【００２０】
上記発明によれば、小物置き台の板材のうち、挟持部をなす２枚の板材の間に、譜面台の棚部を挟み込ませることにより、小物置き台を譜面台の下辺に装着することができる。そして、挟持部の下方に連結された板材を広げて、開き止め機構によりＬ字状に延出された形状にすることにより、前方に突出した板材の上に筆記具等の小物を置くことが可能になる。また、挟持部の上方に連結された板材からなるサポート部を、楽譜用下敷きの下縁部と重ならせてサポートさせることにより、楽譜用下敷きをより確実に平面状に保持させることができる。
【００２１】
本発明の譜面台用補助具においては、前記サポート部には、磁気吸着シートが添設されており、前記楽譜用下敷きの少なくとも下縁部に位置する表面又は裏面には、前記磁器吸着シートに吸着可能な磁気吸着面が形成されていることが好ましい。
【００２２】
この態様によれば、サポート部を楽譜用下敷きの下辺部に重ならせることにより、楽譜用下敷きの少なくとも下縁部に形成された磁気吸着面が、サポート部に添設された磁気吸着シートに吸着されるので、楽譜用下敷きを容易に平面状に保持させることができる。
【発明の効果】
【００２３】
本発明によれば、折り畳んだ状態では１枚の板材と同じ幅となり、携帯しやすいコンパクトな形状にすることができ、折り畳み用の譜面台等に楽譜を載せるとき、該譜面台の支持フレーム上にこの下敷きを広げて載せてその上に楽譜を載せることにより、楽譜をしっかりと保持することができると共に、楽譜に筆記具で書き込みをすることも可能となる。
【図面の簡単な説明】
【００２４】
【図１】本発明の楽譜用下敷きの一実施形態を示す斜視図である。
【図２】同下敷きの拡大断面図である。
【図３】同下敷きの断面図である。
【図４】同下敷きを折り畳むときの説明図である。
【図５】同下敷きを折り畳んだ状態の斜視図である。
【図６】本発明の譜面台用補助具を構成する小物置き台を示しており、（ａ）は広げたときの斜視図、（ｂ）は譜面台に装着する際の折り曲げ途中を示す斜視図である。
【図７】本発明の譜面台用補助具を構成する小物置き台を示しており、（ａ）は譜面台に装着する際の状態の斜視図、（ｂ）は折り畳んだ状態の斜視図である。
【図８】本発明の譜面台用補助具の側面図である。
【図９】同譜面台用補助具を正面側から見た場合の斜視図である。
【図１０】同譜面台用補助具を背面側から見た場合の斜視図である。
【図１１】本発明の楽譜用下敷きの他の実施形態を示す側面図及び拡大断面図である。
【図１２】同楽譜用下敷きの折り畳み途中の斜視図である。
【図１３】同楽譜用下敷きを折り畳んだ状態の斜視図である。
【発明を実施するための形態】
【００２５】
以下、図面を参照して、本発明の楽譜用下敷き及び譜面台用補助具の一実施形態について説明する。
【００２６】
図８〜１０に示すように、譜面台用補助具１０は、譜面台５０に載置される楽譜用下敷き２０（図１〜５参照）と、譜面台下辺の棚部５３，５３に装着可能な小物置き台３０（図６，７参照）とからなる。まず、楽譜用下敷き２０（以下、「下敷き２０」）について説明する。
【００２７】
図１及び図３に示すように、この下敷き２０は、並列して配置されたほぼ同じ幅の複数枚の板材２１（ここでは８枚）と、複数枚の板材２１の楽譜１の載置面となる表面側に被覆された連結シート２５（以下、「表シート２５」）と、複数枚の板材２１の裏面側に被覆された連結シート２７（以下、「裏シート２７」）とを備えている。なお、本発明においてほぼ同じ幅という意味は、全板材の幅の平均値に対して、各板材の幅が±３０％以内にされていることを意味する。
【００２８】
板材２１は、例えばエポキシ樹脂、不飽和ポリエステル樹脂、ビニルエステル樹脂、ポリイミド樹脂などの熱硬化性樹脂や、ポリエチレン、ポリプロピレン、ポリテトラフルオロエチレン、ポリカーボネート、アクリル樹脂、ナイロン、ＡＢＳ樹脂などの熱可塑性樹脂等で形成することができる。この場合、補強繊維で強化された樹脂で形成することが好ましく、炭素繊維の織布に樹脂を含浸させて形成された炭素繊維強化樹脂からなることがより好ましい。ただし、板材２１をアルミニウムなどの比較的軽い金属板で形成することもできる。
【００２９】
表シート２５及び裏シート２７としては、例えば、ポリエチレン、ポリプロピレン等の合成樹脂のシートやフィルム、紙、布等を用いることができる。表シート２５及び裏シート２７は、例えば接着、溶着等の手段で板材２１に接合されて被覆されている。また、この実施形態では、表シート２５及び／又は裏シート２７の少なくとも下縁部に磁性金属粉、例えば鉄粉等が含有され、本発明における「磁気吸着面」をなしている。なお、磁性金属粉を板材２１に含有させてもよい。
【００３０】
隣接する板材２１どうしの継ぎ目に位置する表シート２５又は裏シート２７のいずれか一方には、継ぎ目に沿ったスリット２９が形成され、図４に示すように、スリット２９を外側にして、板材２１どうしが折り曲げ可能に連結され、板材２１どうしを継ぎ目の部分で折り曲げることにより、図５に示すように、下敷き２０を蛇腹状に折り畳むことが可能となっている。
【００３１】
この実施形態では、図１及び図３に示すように、最も両側に配置された板材２１と、それに隣接する２番目の板材２１との間の継ぎ目に位置する部分には、裏シート２７にスリット２９が形成されている。また、両側から２番目の板材２１及び３番目の板材２１間には表シート２５にスリット２９が形成され、両側から３番目の板材２１及び４番目の板材２１間には裏シート２７にスリット２９が形成され、両側から４番目の板材２１，２１間には表シート２５にスリット２９が形成されている。すなわち、板材の並列方向に沿って、表シート２５又は裏シート２７に互い違いとなるように、スリット２９が形成されている。
【００３２】
また、図３に示すように、最も両側の板材２１，２１と、それに隣接する２番目の板材２１，２１との側縁部２２ａ，２２ｂどうしに、互い違いに入り込む段部２３が板材の厚さ方向に形成された構造をなしている。上記において背面側に重なる側縁部２２ｂが、本発明における延出片をなしており、両板材２１，２１を開いたとき、前記側縁部２２ｂが他方の側縁部２２ａの背面側に当接して、逆方向への折れ曲がりを規制する平面保持機構をなしている。なお、一方の板材２１の背面側に、他方の板材に向けて延出される延出片が取付けられ、この延出片が他方の板材の背面に当接して、逆方向への折れ曲がりを規制する平面保持機構をなすように構成してもよい。
【００３３】
また、この実施形態における下敷き２０は、８枚の板材２１を並列配置したが、この枚数に限定されるものではない。
【００３４】
次に上記構造の楽譜用下敷き２０の使用方法について説明する。すなわち、この下敷き２０は、ほぼ同じ幅の細長い複数枚の板材２１を、表シート２５及び裏シート２７で連結すると共に、両シート２５，２７の一方に継ぎ目に沿ってスリット２９を設けたことにより、図４に示すように、継ぎ目部分でスリット２９を外側にして隣接する板材どうしを折り曲げることで、図５に示すように蛇腹状に折り畳むことができる。このように、下敷き２０を折り畳んだ状態では１枚の板材と同じ幅となり、携帯しやすいコンパクトな形状にすることができる。
【００３５】
そして、このような下敷き２０は、例えば、図８〜１０に示す折り畳み可能な譜面台５０に楽譜１を載せるときに利用することができる。ただし、この下敷き２０は、ピアノの譜面台に載せる楽譜用の下敷きとしても利用することができる。
【００３６】
この譜面台５０の構造については既に説明したので省略するが、支持フレーム５１に対し一対の棚部５３，５３を左右に広げた状態では、支持フレーム５１、棚部５３及びリンクフレーム５５の間に支持部分のない骨組み構造となっている（図１０参照）。
【００３７】
このような譜面台５０に、図１に示すように下敷き２０を広げて、支持フレーム５１、棚部５３及びリンクフレーム５５に支持させた後、その上に楽譜１を乗せることにより、図９に示すように、楽譜１をしっかりと保持することができ、楽譜１に筆記具で書き込みすることができる。また、折り畳まれた下敷き２０を広げることにより、１枚の大きな下敷き２０にすることができるので、サイズの大きな楽譜であってもしっかりと支持することができる。
【００３８】
更に、この実施形態の下敷き２０は、広げたときの幅が譜面台５０の支持幅よりも広く、最も両側の板材２１，２１が譜面台５０の両側からはみ出すが（図９，１０参照）、表シート２５と、段部２３によって形成された側縁部２２ａ、２２ｂによる平面保持機構により、最も両側の板材２１，２１の背面側への折れ曲がりを防止することができるようになっている。すなわち、最も両側の板材２１，２１が背面側に折れ曲がろうとすると、スリット２９のない表シート２５が引っ張られると共に、図３に示す一方の側縁部２２ｂ（本発明における延出片をなす）が他方の側縁部２２ａの背面に当接して、背面側への折れ曲がりが防止される。その結果、下敷き２０を全幅にわたって平面状に維持することができ、大きな楽譜であってもしっかりと保持することができる。
【００３９】
また、この実施形態における板材２１は、炭素繊維の織布に樹脂を含浸させて形成された炭素繊維強化樹脂からなるので、比較的薄い板材であっても十分な剛性を付与でき、湾曲したりすることなく、楽譜をしっかりと支持することができると共に、板材を薄くして軽量化できるので、携帯性をより向上させることができる。
【００４０】
次に、本発明の譜面台用補助具１０を構成する小物置き台３０について説明する。
【００４１】
図６及び図７に示すように、この小物置き台３０は、並列して配置されたほぼ同じ幅の複数枚（この実施例では５枚）の板材３１と、複数枚の板材３１の表面側に被覆された連結シート３５（以下、「表シート３５」とする）と、複数枚の板材３１の裏面側に被覆された連結シート３７（以下、「裏シート３７」とする）とを備えている。更に、最も上側の板材３１には、表シート３５の更に表面側に、前記下敷き２０の磁気吸着面に吸着する磁気吸着シート３６が添設されている（図６（ａ）参照）。
【００４２】
板材３１は、前述の下敷き２０と同様な樹脂で形成でき、補強繊維で強化された樹脂で形成することが好ましく、炭素繊維の織布に樹脂を含浸させて形成された炭素繊維強化樹脂からなることがより好ましい。表シート３５及び裏シート３７の材質も、前述の下敷き２０と同様に、ポリエチレン、ポリプロピレン等の合成樹脂のシートやフィルム、紙、布等を用いることができる。
【００４３】
隣接する板材３１の継ぎ目に位置する表シート３５又は裏シート３７のいずれか一方には、継ぎ目に沿ったスリット３９が形成され、このスリット３９を外側にして板材３１どうしが折り曲げ可能に連結されている。
【００４４】
この実施形態では、図６（ａ）に示すように、上から２番目の板材３１と３番目の板材３１との間には、表シート３５にスリット３９が形成され、その他の板材３１どうしの間には、裏シート３７にスリット３９が形成されている。
【００４５】
そして、図６（ｂ）に示すように、上から２番目の板材３１と３番目３１の板材３１との間で山折りし、折り曲げ辺に近い部分をハトメ等の留め具３３で部分的に面接合させることにより、譜面台５０の棚部５３を挟持する挟持部Ａが構成されている。また、最下方の板材３１を下から２番目の板材３１に対してＬ字状に折り曲げることにより、挟持部Ａの下方に連結されたＬ字状に延出される小物置き部Ｂが構成されている。更に、最も上方の板材３１は、前述した下敷き２０の下縁部に重なって、下敷き２０を広げた状態に保持するサポート部Ｃをなしている。
【００４６】
なお、図７（ａ）及び図８に示すように、下から３番目の板材３１及び２番目の板材３１の両側部にワイヤー３８が連結されると共に、下から２番目の板材３１及び最下方の板材３１の両側部にもワイヤー３８が連結され、前記挟持部Ａで譜面台５０の棚部５３を挟持したときに、ワイヤー３８が張られて、最下方の板材３１が下から２番目の板材３１に対して９０度以上開かないように構成されている。このワイヤー３８が、本発明の「開き止め機構」をなしている。ただし、開き止め機構としては、上記ワイヤー３８の他に様々な構造のものを採用できる。
【００４７】
そして、この小物置き台３０では、図７（ａ）に示すように、下から２番目の板材３１をベースとして、他の板材３１を折り重ねることにより、コンパクトな形状に折り畳むことができる（図７（ｂ）参照）。
【００４８】
この小物置き台３０を、下敷き２０と併せて譜面台用補助具１０として用いる場合には、次のようにして使われる。
【００４９】
すなわち、図８に示すように、小物置き台３０の挟持部Ａをなす板材３１，３１の間に、譜面台５０の棚部５３を挟み込むことにより、小物置き台３０を譜面台５０の下辺に装着することができる。そして、挟持部下方の板材３１，３１を適宜広げて、ワイヤー３８からなる開き止め機構により、Ｌ字状に延出された小物置き部Ｂとすることにより、前方に突出した板材３１の上に、筆記具等の小物を置くことが可能となる。
【００５０】
また、挟持部上方のサポート部Ｃの上に、下敷き２０の下縁部を重ねて置いてサポートすることにより（図８参照）、下敷き２０の磁気吸着面が、サポート部Ｃに添設された磁気吸着シート３６に吸着されるので、図９，１０に示すように、下敷き２０をより確実に平面状に保持させることができる。
【００５１】
図１１〜１３には、本発明の楽譜用下敷きの他の実施形態が示されている。なお、前記実施形態と実質的に同一部分には同符号を付してその説明を省略する。なお、図１１は図中上方が背面側、下方が表面側をなしている。
【００５２】
この実施形態に係る楽譜用下敷き２０ａ（以下、「下敷き２０ａ」）は、並列配置された複数枚（８枚）の板材２１ａ、２１ｂ、２１ｃ、２１ｄ、２１ｅ、２１ｆ、２１ｇ、２１ｈを有している。
【００５３】
そして、図１１中の紙面左から２番目の板材２１ｂ、４番目の板材２１ｄ、６番目の板材２１ｆ、８番目の板材２１ｈには、それらの左側縁部に延出片２４が設けられている。この延出片２４は、それぞれの板材の左側縁部から背面側に板厚分だけ段状に突出し、更に板面に沿って所定長さ延出され、各板材を広げた状態で、隣接する板材の右側縁部の背面に当接する形状をなしている。例えば、左から２番目の板材２１ｂの延出片２４は、左から１番目の板材２１ａの右側縁部の背面に当接し、左から４番目の板材２１ｄの延出片２４は、左から３番目の板材２１ｃの右側縁部の背面に当接する。
【００５４】
板材２１ａ、２１ｂ、２１ｃ、２１ｄ、２１ｅ、２１ｆ、２１ｇ、２１ｈの表面には、表シート２５が全面に被覆されており、延出部２４が配置された継ぎ目部分では、表シート２５によって両板材が連結され、表面を内側にして折曲可能とされている。また、延出部２４が配置された継ぎ目部分では、裏面側に連結シートは被覆されておらず、延出部２４が隣接する板材の背面に当接するようになっている。
【００５５】
また、延出部２４が配置されていない継ぎ目部分、例えば図１１における板材２１ｂと板材２１ｃとの継ぎ目部分には、裏面側に連結シート（裏シート２７ａ）が部分的に被覆されて、この裏シート２７ａによって両板材が連結されている。また、表シート２５には継ぎ目に沿ってスリット２９が形成されている。その結果、裏面を内側にして折曲可能とされている。
【００５６】
この下敷き２０ａは、図１２に示すように、延出片２４を設けた部分においては、隣接する板材の表面どうしを内側にして折曲でき、一方、延出片２４がない部分では、裏面どうしを内側にして折曲できるので、図１３に示すように蛇腹状にコンパクトに折り畳むことができる。
【００５７】
また、図１１に示すように、下敷き２０ａを広げたときには、それぞれの延出片２４が隣接する板材の背面に当接して、背面側への折れ曲がりが防止されるので、全体としての剛性が向上して、楽譜をよりしっかりと保持することができる。特に、最も両側に配置されたそれぞれの板材２１ａ、２１ｈが、延出片２４によって背面側に折れ曲がることが防止されることにより、譜面台５０の支持幅を超えて、両側の板材２１ａ、２１ｈが配置されても、平面性を保って楽譜を支持することが可能となる。
【符号の説明】
【００５８】
１  楽譜
１０  譜面台用補助具
２０，２０ａ  譜面台用下敷き（下敷き）
２１  板材
２２  側縁部
２３  段部
２４  延出片
２５  表面側の連結シート（表シート）
２７，２７ａ  裏面側の連結シート（裏シート）
２９  スリット
３０  小物置き台
３１  板材
３３  留め具
３５  表面側の連結シート（表シート）
３６  磁気吸着シート
３７  裏面側の連結シート（裏シート）
３８  ワイヤー
３９  スリット
５０  譜面台
５１  支持フレーム
５３  棚部
５５  リンクフレーム
５７  伸縮ポール
５９  三脚
Ａ  挟持部
Ｂ  小物置き部
Ｃ  サポート部
【図１】
2011227327.tif 000003
【図２】
2011227327.tif 000004
【図３】
2011227327.tif 000005
【図４】
2011227327.tif 000006
【図５】
2011227327.tif 000007
【図６】
2011227327.tif 000008
【図７】
2011227327.tif 000009
【図８】
2011227327.tif 000010
【図９】
2011227327.tif 000011
【図１０】
2011227327.tif 000012
【図１１】
2011227327.tif 000013
【図１２】
2011227327.tif 000014
【図１３】
2011227327.tif 000015